(57)【要約】室内空気の温度及び湿度の調節のみならず、室外に酸素を供給できる空気調和機が開示される。本発明は、室外機（１０）、室内機（２０）、冷媒管（３０）および酸素発生装置を具備する。室外機（１０）は、凝縮器（１１）、送風ファン（１２）及び圧縮機（１３）を具備し、冷媒を圧縮および凝縮する。室内機（２０）は、蒸発器（２１）、送風ファン（２２）、吸入口（２３）及び吐き出し口（２４）を具備し、室内の空気を冷却する。冷媒管（３０）が、室内機（２０）の蒸発器（２１）と、室外機（１０）の凝縮器（１１）との間を連結して冷媒を循環させる。酸素発生装置は、室外機（１０）の任意の位置に設けられ外部空気を吸入して酸素を発生する酸素発生器（１００）と、室内機（２０）内に設けられて酸素を排出する酸素排出器（２００）と、酸素発生器（１００）で生成された酸素を酸素排出器（２００）に移送する酸素移送管（３００）を具備する。
2004536687.tif 000002
【特許請求の範囲】
【請求項１】
凝縮器、送風ファン及び圧縮機などからなる冷媒を凝縮する室外機と、
蒸発器、送風ファン、吸入口及び吐き出し口などからなり室内の空気を冷却して排出する室内機と、
前記室内機の蒸発器と、前記室外機の凝縮器との間を連結して冷媒を循環するようにする冷媒管と、
前記室外機の任意の位置に設けられ外部空気を吸入して酸素を発生する酸素発生器と、
前記室内機内に設けられて酸素を排出する酸素排出器と、
前記酸素発生器で作られていた酸素を前記酸素排出器に移送する酸素移送管を含む酸素発生装置とを具備し、前記酸素発生器と酸素排出機がそれぞれ室外と室内に分離して設けられて空気調和機自体の構造を変更せずに室内に酸素を供給できるようにしたことを特徴とする空気調和機。
【請求項２】
前記酸素発生器は、複数の構成要素を含めて酸素を発生する駆動部と、前記駆動部を保護する外装部からなる請求項１に記載の空気調和機。
【請求項３】
前記駆動部は、
所定の吸着剤が充填される吸着塔と、
前記吸着塔が加圧又は真空状態となるように強制的に循環させる空気ポンプと、
前記空気ポンプの入出口にそれぞれ連結され、前記吸着塔の入口に連結され、空気流路を選択的に生成し、それぞれ外部空気を吸入し内部空気を吐き出す第１及び第１切換弁と、
前記吸着塔の出口に連結される前記酸素移送管に設けられて排出方向にだけ流動を許容する逆止弁と、
前記空気ポンプの入口、前記第１切換弁及び前記吸着塔の入口を互いに連結される第１流路と、
前記空気ポンプの出口、前記第２切換弁及び前記吸着塔の入口を互いに連結する第２流路と、
前記第１流路上の第１切換弁から分岐して外部大気と連通する第１空気管と、
前記第２流路上の第２切換弁から分岐して外部大気と連通する第２空気管を含めて、前記吸着塔内部で加圧又は真空状態によって流れ込んだ空気から酸素が発生したり前記吸着剤から窒素が脱着する請求項２に記載の空気調和機。
【請求項４】
前記駆動部は、前記吸着塔の内部が加圧又は真空状態となるように前記第１及び第２切換弁と前記ポンプの作動を制御する制御部を更に含める請求項３に記載の空気調和機。
【請求項５】
前記駆動部は、関連作動部を制御するように前記制御部に所定の信号を出力する信号出力部を更に含める請求項４に記載の空気調和機。
【請求項６】
前記信号出力部は、前記吸着塔の内部の圧力状態変化のための切換作動以降の時間を測定するタイマーである請求項５に記載の空気調和機。
【請求項７】
前記信号出力部は、室内の所定ガスの濃度を測定するガスセンサーである請求項５に記載の空気調和機。
【請求項８】
前記測定されるガスは、二酸化炭素である請求項７に記載の空気調和機。
【請求項９】
前記信号出力部はユーザ操作によって前記制御部に直接作動信号を出力するキー入力部である請求項５に記載の空気調和機。
【請求項１０】
前記制御部は設定された時間によって前記吸着塔の内部の加圧及び真空状態を周期的に繰り返す請求項４に記載の空気調和機。
【請求項１１】
前記第１及び第２切換弁は前記自体に連結された前記空気管及び前記ポンプの間を連結したり前記吸着塔及び前記ポンプの間を連結する請求項１０に記載の空気調和機。
【請求項１２】
前記制御部は加圧及び真空状態を周期的に繰り返しながら前記加圧及び真空状態以前に所定時間の大気圧状態を先行させる請求項４に記載の空気調和機。
【請求項１３】
前記第１及び第２切換弁は自体に連結された前記空気管、前記ポンプ及び吸着塔のうちいずれか二カ所を選択的に連結する請求項１２に記載の空気調和機。
【請求項１４】
前記第１切換弁は、
内部一端部を区切る垂直壁を有するケース本体と、
前記垂直壁に区切られた空間に各々設けられると共に、空気が流入する流入口及び流出する流出口が形成される水平部材と、
前記それぞれ流入口と連通するように設けられる第１吸入管及び第２吸入管と、
前記それぞれ流出口と共通で連通するように設けられる吐き出し管と、
前記各流出口を開閉する開閉手段とを含む請求項３に記載の空気調和機。
【請求項１５】
前記第２切換弁が、
内部の一端部を区切る垂直壁を有するケース本体と、
前記垂直壁により区切られた空間にそれぞれ設けられると共に、空気が流入される流入口及び流出口が形成される水平部材と、
前記各流入口と共通で連通するように設けられる吸入管と、
前記各流出口と連通するように設けられる第１吐き出し管及び第２吐き出し管と、
前記各流出口を開閉する開閉手段とを含む請求項３に記載の空気調和機。
【請求項１６】
前記第１吸入管は外部大気と前記第２吸入管は吸着塔とそれぞれ連結され、前記吐き出し管はポンプ入口に連結される請求項１４に記載の空気調和機。
【請求項１７】
前記吸入管はポンプの出口側に連結され、前記第１吐き出し管は吸着塔と、第２吐き出し管は外部大気とそれぞれ連結される請求項１５に記載の空気調和機。
【請求項１８】
前記開閉手段は、
前記流出口を開閉する開閉部材と、
電磁気力により前記開閉部材を移動させる電磁石部材と、
前記開閉部材を元の位置に復元させる弾性部材とからなる
請求項１４又は１５に記載の空気調和機。
【請求項１９】
前記各流出口を開閉する前記各開閉部材の先端にパッキング部材が結合される請求項１８に記載の空気調和機。
【請求項２０】
前記各水平部材は柔軟性を有する材料からなる請求項１４又は１５に記載の空気調和機。
【請求項２１】
前記各水平部材にはその形状を維持する形状維持部材が結合される請求項２０に記載の空気調和機。
【請求項２２】
前記第１空気管及び第２空気管が一つに統合されて外部大気と連通する請求項３に記載の空気調和機。
【請求項２３】
前記酸素発生器は前記空気調和機の室外機の上部に位置する請求項２に記載の空気調和機。
【請求項２４】
前記酸素発生器は前記室外機の上部に分離されて位置する請求項２３に記載の空気調和機。
【請求項２５】
前記酸素発生器の外装部は、
前記室外機の上部に固定され、前記駆動部を固定支持する支持板と前記支持板に固定され前記駆動部を保護するように覆うハウジングを含む請求項２４に記載の空気調和機。
【請求項２６】
前記外装部の支持板が所定の大きさの貫通孔を更に含んでおり、前記室外機の上部が前記支持板の貫通孔に当たる位置に所定大きさの貫通孔を更に含んでおり、前記貫通孔を介して前記駆動部の空気管などが高温の空気を吸い込むように前記室外機の内部の圧縮機周辺に位置する請求項２５に記載の空気調和機。
【請求項２７】
前記酸素発生器は前記室外機の上部に一体に形成される請求項２３に記載の空気調和機。
【請求項２８】
前記酸素発生器の外装部が前記室外機の駆動部の上部に設けられ、前記酸素発生器の駆動部を固定支持する分離板と、前記分離板が固定される酸素発生器駆動部及びその下部の室外機の駆動部を保護するように覆うハウジングを含める請求項２７に記載の空気調和機。
【請求項２９】
前記外装部の分離板が所定大きさの貫通孔を更に含めて前記貫通孔を介して前記駆動部の空気管が高温の空気を吸い込むように前記圧縮機の周辺に位置する請求項２８に記載の空気調和機。
【請求項３０】
前記室外機は前記圧縮機の表面又はその周辺に付着され前記空気管を前記圧縮機の周囲に安定して位置するように固定する固定部材を更に含む請求項２６又は２９に記載の空気調和機。
【請求項３１】
前記酸素移送管は空気調和機の室外機と室外機とを連結する冷媒管の中で室内機の蒸発器から室外機の圧縮機に冷媒が帰還する冷媒管に隣接するように配列される請求項１に記載の空気調和機。
【請求項３２】
前記酸素排出機が前記酸素移送ラインと連結して酸素を放出する酸素放出部を含み、前記酸素放出部が室内機に吸入されて排出される空気方向について蒸発器の前方又は後方に設けられる請求項１に記載の空気調和機。
【請求項３３】
前記酸素排出機が前記室外機の外部面に付着され、前記酸素移送ラインと連結して酸素排出状態を表示する酸素発生表示部を更に含む請求項３２に記載の空気調和機。
【請求項３４】
前記酸素発生表示部は、
一端は酸素移送管と他端は酸素排出部とそれぞれ連結し、前記連結された両端の間に酸素流路が形成される本体と、
前記本体の前方に付着され、前記本体の流路を透視できる透明窓と、
前記本体の流路内に挿入されて酸素の流量によって流路内を浮遊するフロートとからなる請求項３３に記載の空気調和機。
【請求項３５】
酸素発生装置の作動が開始されるとき、吸着塔を外部大気と連通させて前記吸着塔の内部を大気圧状態で調節する段階と、
前記吸着塔内部の吸着剤から窒素を脱着するように前記吸着塔の内部を設定された真空度まで減圧する段階と、
前記吸着塔を外部大気と連通させて前記吸着塔の内部を大気圧の状態で再調節する段階と、
前記吸着剤を用いて空気から酸素を抽出するために前記吸着塔の内部を設定された圧力まで加圧する段階からなることを特徴とする空気調和機の酸素発生方法。
【請求項３６】
前記加圧段階で前記最初大気圧調節段階以降に行われ前記減圧段階が前記大気圧再調節段階以降に行われる請求項３５に記載の空気調和機の酸素発生方法。
【請求項３７】
酸素発生装置の作動途中に前記減圧段階、大気圧調節段階、加圧段階が順次に反復される請求項３５に記載の空気調和機の酸素発生方法。
【請求項３８】
前記大気圧調節段階、減圧段階及び加圧段階が所定の制御部と前記制御部による作動制御以降の時間を測定する信号出力部により制御される請求項３５に記載の空気調和機の酸素発生方法。
【請求項３９】
前記大気圧最初及び再調節段階は、
前記制御部により吸着塔が外部大気と直接連通されるように切換弁を切り換える段階と、
前記信号出力部で切換以降の時間を測定して前記制御部に出力する段階と、
前記制御部の内部に既に設定された時間と前記信号出力部の測定時間を比較することで、前記設定された時間の間前記吸着塔の内部を大気圧状態で維持する段階と含む請求項３５に記載の空気調和機の酸素発生方法。
【請求項４０】
前記減圧段階は、
前記制御部により吸着塔からポンプを経て外部空気に繋ぐ流路を形成するように切換弁を切り換える段階と、
前記信号出力部が前記切換段階以降の時間を測定する段階と、
前記吸着塔の内部空気が前記流路に沿って排出するようにポンプを作動する段階と、
前記制御部の内部に既に設定された減圧時間と前記信号出力部の測定時間を比較することで前記設定された減圧時間の間ポンプ作動を維持する段階とを含む請求項３８に記載の空気調和機の酸素発生方法。
【請求項４１】
前記加圧段階は、
前記制御部により外部空気からポンプを経て前記吸着塔まで繋がる流路を形成するように切換弁を切り換える段階と、
前記信号出力部が前記切換段階以降の時間を測定する段階と、
外部空気が前記流路に沿って吸着塔に供給されるようにポンプを作動する段階と、
前記制御部の内部に既に設定された加圧時間と前記信号出力部の測定時間とを比較することで前記設定された加圧時間の間ポンプ作動を維持する段階とを含む請求項３８に記載の空気調和機の酸素発生方法。
【請求項４２】
前記減圧段階及び加圧段階は、所定の制御部と室内のガス濃度を測定する信号出力部により制御される請求項３５に記載の空気調和機の酸素発生方法。
【請求項４３】
前記減圧段階は、
前記制御部により吸着塔からポンプを経て外部空気に繋がる流路を形成するように切換弁を切り換える段階と、
前記信号出力部で室内のガス濃度を測定する段階と、
前記吸着塔の内部空気が前記流路に沿って排出するようにポンプを作動する段階と、
前記制御部の内部に既に設定された最大ガス濃度と前記信号出力部の測定ガス濃度を比較することで前記設定された最大ガス濃度に至るまでポンプ作動を維持する段階とを含む請求項４２に記載の空気調和機の酸素発生方法。
【請求項４４】
前記加圧段階は、
前記制御部により外部空気からポンプを経て前記吸着塔まで繋がる流路を形成するように切換弁を切り換える段階と、
前記信号出力部が室内のガス濃度を測定する段階と、
外部空気が前記流路に沿って吸着塔に供給されるようにポンプを作動する段階と、
前記制御部の内部に既に設定された最大ガス濃度と前記信号出力部のガス濃度とを比較することで前記設定された最小ガス濃度に至るまでポンプ作動を維持する段階とを含む請求項４２に記載の空気調和機の酸素発生方法。
【請求項４５】
前記減圧段階及び加圧段階は、所定の制御部とユーザが減圧段階及び加圧段階を直接選択可能にする信号出力部により制御される請求項３５に記載の空気調和機の酸素発生方法。
【請求項４６】
内部一端部を区切る垂直壁を有するケース本体と、
前記垂直壁により区切られた空間にそれぞれ設けられると共に、空気が流入する流入口及び流出する流出口が形成される水平部材と、
前記各流入口と連通するように設けられる第１吸入管及び第２吸入管と、
前記各流出口と共通で連通するように設けられる吐き出し管、
前記各流出口を開閉する開閉手段を含めて酸素発生器の空気吸入側に設けられる前記第１切換弁と、
内部の一端部を区切る垂直壁を有するケース本体と、
前記垂直壁により区切られた空間にそれぞれ設けられると共に、空気が流入する流入口及び流出する流出口が形成される水平部材と、
前記各流入口と共通で連通するように設けられる吸入管と、
前記各流出口と連通するように設けられる第１吐き出し管及び第２吐き出し管と、
前記各流出口を開閉する開閉手段を含めて酸素発生器の空気吐き出し側に設けられる第２切換弁からなることを特徴とする酸素発生器の切換弁。
【請求項４７】
前記第１吸入管は外部大気と前記第２吸入管は吸着塔とそれぞれ連結され、前記吐き出し管はポンプ入口に連結される請求項４６に記載の酸素発生器の切換弁。
【請求項４８】
前記吸入管はポンプの出口側に連結され、前記第１吐き出し管は吸着塔と、第２吐き出し管は外部大気とそれぞれ連結される請求項４６に記載の酸素発生器の切換弁。
【請求項４９】
前記開閉手段は、
前記流出口を開閉する開閉部材と、
電子気力により前記開閉部材を移動させる電磁石部材と、
前記開閉部材を元の位置に復元させる弾性部材とからなる請求項４６に記載の酸素発生器の切換弁。
【請求項５０】
前記各流出口を開閉する前記各開閉部材の先端にパッキング部材が結合される請求項４６に記載の空気調和機。
【請求項５１】
前記各水平部材は柔軟性を有する材料で形成される請求項４６に記載の空気調和機。
【請求項５２】
前記各水平部材はその形状を維持する形状維持部材が結合される請求項５１に記載の空気調和機。
【発明の詳細な説明】
【技術分野】
【０００１】
本発明は空気調和機に関するもので、特に室内空気の温度及び湿度を調節し、同時に人体に有益な酸素を供給できる空気調和機に関する。
【背景技術】
【０００２】
一般に空気調和機は作動流体、即ち、冷媒による熱交換作用を介して室内空気を一定温度と湿度に維持し、それぞれの構成要素などの相対的な位置によって、分離型及び窓型空気調和機のような多様な形態が存在する。
【０００３】
近時、基本的な空気調和機能に加えて複合的、付加的な機能が空気調和機に要求されており、例えば陰イオン発生装置を有する空気調和機が市販されている。陰イオン発生空気調和機は、作動時に人体に有益な陰イオンを冷却された空気と共に室内に供給する。
より複雑な機能を有する空気調和機が現在継続開発されており、かかる開発傾向は多様化となるユーザの要求及び関連技術の発展と共に更に増加しつつある。
【発明の開示】
【発明が解決しようとする課題】
【０００４】
本発明はかかる傾向に沿って案出されたもので、本発明の目的は効率的に室内に酸素を供給できる空気調和機を提供するものである。
【課題を解決するための手段】
【０００５】
前記目的を達成するための本発明によれば、凝縮器、送風ファン及び圧縮機などからなる冷媒を凝縮する室外機と、蒸発器、送風ファン、吸入口及び吐き出し口などからなり室内の空気を冷却して排出する室内機と、前記室内機の蒸発器と、前記室外機の凝縮器との間を連結して冷媒を循環するようにする冷媒管と、前記室外機の任意の位置に設けられ外部空気を吸入して酸素を発生する酸素発生器と、前記室内機内に設けられ酸素を排出する酸素排出器と、前記酸素発生器で作られていた酸素を前記酸素排出器に移送する酸素移送管とを含む酸素発生装置からなり、前記酸素発生器と酸素排出機がそれぞれ室外と室内に分離して設けられて空気調和機自体の構造を変更することなく室内に酸素を供給できるようにしたことを特徴とする空気調和機が提供される。
【０００６】
好ましくは、前記酸素発生器は、複数の構成要素を具備して酸素を発生する駆動部と、前記駆動部を保護する外装部を具備する。
より好ましくは、前記駆動部は、加圧及び真空状態となるように空気を強制的に循環させる空気ポンプと、前記空気ポンプの入出口にそれぞれ連結され、空気流路を選択的に生成する第１及び第２切換弁と、前記第１及び第２切換弁と、前記第１及び第２切換弁と連結し、所定の吸着剤が充填される吸着塔と、前記吸着塔の出口に連結された前記酸素移送管に設けられて排出方向にのみ流動を許容する逆止弁と、前記空気ポンプの入口と、前記第１切換弁及び前記吸着塔の入口を互いに連結するように形成される第１流路と、前記空気ポンプの出口、前記第２切換弁及び前記吸着塔の入口を互いに連結するように形成される第２流路、前記第１流路上の第１切換弁から分岐して外部大気と連通する第１空気管と、また、前記第２流路上の第２切換弁から分岐して外部大気と連通する第２空気管とを含む。
【０００７】
前記酸素発生器において、前記駆動部は実質的に前記吸着塔の内部が加圧又は真空状態になるように前記第１及び第２切換弁と前記ポンプの作動を制御する制御部を更に含めており、望ましくは、関連作動部を制御するように前記制御部に所定の信号を出力する信号出力部を更に含めることが望ましい
【０００８】
ここで、前記信号出力部は前記吸着塔の内部の圧力状態変化のための切換作動以降の時間を測定するタイマーとなり得、室内の所定ガスの濃度、望ましくは、二酸化炭素の濃度を測定するガスセンサーまたはユーザにより前記制御部に直接作動信号を出力するキー入力部であることが望ましい。
【０００９】
前記制御部は、酸素発生過程のうち、設定された時間によって前記吸着塔の内部の加圧及び真空状態を周期的に繰り返すことができ、この場合、前記第１及び第２切換弁が前記自体に連結された前記空気管及び前記ポンプの間を連結したり前記吸着塔及び前記ポンプの間を連結する。
【００１０】
また、前記制御部は、加圧及び真空状態を周期的に繰り返しながら前記加圧及び真空状態以前に所定時間の大気圧状態を先行させることができ、ここで、前記第１及び第２切換弁が自らに連結された前記空気管、前記ポンプ及び吸着塔のうちいずれか二カ所を選択的に連結する。
【００１１】
前記駆動部の構成のうち、前記第１切換弁は、内部一端部を区切る垂直壁を有するケース本体と、前記垂直壁に区切られた空間に各々設けられると共に、空気が流入する流入口及び流出する流出口が形成される水平部材と、前記それぞれ流入口と連通するように設けられる第１吸入管及び第２吸入管と、前記それぞれ流出口と共通で連通するように設けられる吐き出し管と、前記各流出口を開閉する開閉手段とを含む。
【００１２】
また、前記第２切換弁が、内部の一端部を区切る垂直壁を有するケース本体と、前記垂直壁により区切られた空間にそれぞれ設けられると共に、空気が流入する流入口及び流出口が形成される水平部材と、前記各流入口と共通で連通するように設けられる吸入管と、前記各流出口と連通するように設けられる第１吐き出し管及び第２吐き出し管と、前記各流出口を開閉する開閉手段とを含む。
【００１３】
かかる第１切換ポンプにおいて、前記第１吸入管は外部大気と前記第２吸入管は吸着塔とそれぞれ連結され、前記吐き出し管はポンプ入口に連結される。
また、前記吸入管はポンプの出口側に連結され、前記第１吐き出し管は吸着塔と、第２吐き出し管は外部大気とそれぞれ連結される。
【００１４】
前記開閉手段は、前記流出口を開閉する開閉部材と、電磁気力により前記開閉部材を移動させる電磁石部材と、前記開閉部材を元の位置に復元させる弾性部材とからなり、前記各流出口を開閉する前記各開閉部材の先端にパッキング部材が結合される。
【００１５】
前記各水平部材は柔軟性を有する材料からなり、前記各水平部材にはその形状を維持する形状維持部材が結合されることが望ましい。
なお、前記酸素発生器が前記空気調和機の室外機の上部に位置されることが望ましく、この場合、前記室外機の上部に分離されて位置するか、前記室外機の上部に一体に形成され得る。
【００１６】
前記室外機と分離する場合、前記酸素発生器の外装部が、前記室外機の上部に固定され、前記駆動部を固定支持する支持板と前記支持板に固定され前記駆動部を保護するように覆うハウジングを含む。
【００１７】
前記室外機と一体形成される場合、前記酸素発生器の外装部は望ましくは、前記室外機の駆動部の上部に設けられ、前記酸素発生器の駆動部を固定支持する分離板と、前記分離板が固定される酸素発生器の駆動部及びその下部の室外機の駆動部を保護するように共に覆うハウジングとを含む。
【００１８】
また、前記酸素移送管は空気調和機の室外機と室外機とを連結する冷媒管の中で室内機の蒸発器から室外機の圧縮機に冷媒が帰還する冷媒管に隣接するように配列されることが望ましい。
【００１９】
前記酸素排出機が前記酸素移送ラインと連結して酸素を放出する酸素放出部を含み、前記酸素放出部が室内機に吸入されて排出される空気方向について蒸発器の前方又は後方に設けられる。
【００２０】
前記酸素排出機が前記室外機の外部面に付着され、前記酸素移送ラインと連結して酸素排出状態を表示する酸素発生表示部を更に含んでおり、前記酸素発生表示部は、一端は酸素移送管に、他端は酸素排出部にそれぞれ連結され、前記連結された両端の間に酸素流路が形成される本体と、前記本体の前方に付着され、前記本体の流路を透視できる透明窓と、前記本体の流路内に挿入されて酸素の流量によって流路内を浮遊するフロートとからなる。
【００２１】
尚、本発明の他の実施例によると、酸素発生装置の作動が開始されるとき、吸着塔を外部大気と連通させて前記吸着塔の内部を大気圧状態で調節する段階と、前記吸着塔内部の吸着剤から窒素を脱着するように前記吸着塔の内部を設定された真空度まで減圧する段階と、前記吸着塔を外部大気と連通させて前記吸着塔の内部を大気圧の状態で再調節する段階と、前記吸着剤を用いて空気から酸素を抽出するために前記吸着塔の内部を設定された圧力まで加圧する段階からなる空気調和機の酸素発生方法が提供される。
【００２２】
前記酸素発生方法において、前記減圧段階及び加圧段階は互いに順序を変えて行うことができ、また、酸素発生装置の作動途中に前記減圧段階、大気圧調節段階、加圧段階が順次に反復される。
【００２３】
ここで、前記大気圧調節段階、減圧段階及び加圧段階が所定の制御部と前記制御部による作動制御以降の時間を測定する信号出力部により制御され得る。
また、前記大気圧最初及び再調節段階が、前記制御部により吸着塔が外部大気と直接連通されるように切換弁を切り換える段階と、前記信号出力部で切換以降の時間を測定して前記制御部に出力する段階と、前記制御部の内部に既に設定された時間と前記信号出力部の測定時間を比較することで前記設定された時間の間、前記吸着塔の内部を大気圧状態で維持する段階とを含む。
【００２４】
また、前記減圧段階が、前記制御部により吸着塔からポンプを経て外部空気に繋がる流路を形成するように切換弁を切り換える段階と、前記信号出力部が前記切換段階以降の時間を測定する段階と、前記吸着塔の内部空気が前記流路に沿って排出するようにポンプを作動する段階と、前記制御部の内部に既に設定された減圧時間と前記信号出力部の測定時間を比較することで前記設定された減圧時間の間ポンプ作動を維持する段階とを含む。
【００２５】
また、前記加圧段階が、前記制御部により外部空気からポンプを経て前記吸着塔まで繋がる流路を形成するように切換弁を切り換える段階と、前記信号出力部が前記切換段階以降の時間を測定する段階と、外部空気が前記流路に沿って吸着塔に供給されるようにポンプを作動する段階と、前記制御部の内部に既に設定された加圧時間と前記信号出力部の測定時間とを比較することで前記設定された加圧時間の間ポンプ作動を維持する段階とを含む。
【００２６】
なお、前記減圧段階及び加圧段階が所定の制御部と室内のガス濃度を測定する信号出力部により制御され得る。
ここで、前記減圧段階は、前記制御部により吸着塔からポンプを経て外部空気に繋がる流路を形成するように切換弁を切り換える段階と、前記信号出力部で室内のガス濃度を測定する段階と、前記吸着塔の内部空気が前記流路に沿って排出するようにポンプを作動する段階と、前記制御部の内部に既に設定された最大ガス濃度と前記信号出力部の測定ガス濃度を比較することで前記設定された最大ガス濃度に至るまでポンプ作動を維持する段階とを含む。
【００２７】
また、前記加圧段階が、前記制御部により外部空気からポンプを経て前記吸着塔まで繋がる流路を形成するように切換弁を切り換える段階と、前記信号出力部が室内のガス濃度を測定する段階と、外部空気が前記流路に沿って吸着塔に供給されるようにポンプを作動する段階と、前記制御部の内部に既に設定された最大ガス濃度と前記信号出力部のガス濃度とを比較することで前記設定された最小ガス濃度に至るまでポンプ作動を維持する段階とを含む。
【００２８】
なお、前記減圧段階及び加圧段階が所定の制御部とユーザが減圧段階及び加圧段階を直接選択可能にする信号出力部により制御され得る。
【発明の効果】
【００２９】
かかる本発明による空気調和機は設置しやすい構造を有する酸素発生装置を適用することで別途の設計を変更せずに空気供給機能を有することができる。また、前記酸素発生装置は前記空気調和機と連動することにより性能向上が可能である。
【発明を実施するための最良の形態】
【００３０】
図１は本発明による酸素供給機能を有する空気調和機を全体的に示す概略図であり、これを参照して本発明の構成を概略的に説明すると次のようである。
図示したように、本発明による空気調和機は分離型であり、主要な構成要素として冷媒を圧縮及び凝縮する室外機１０と、前記圧縮された冷媒を蒸発させて室内空気と熱交換する室内機２０とを具備し、冷媒管２０が前記冷媒の移送のために前記室外機１０及び室内機２０を連結する。また、上述したように本発明に空気調和機は室内に一定量の酸素を供給する酸素発生装置を更に含めてなる。
【００３１】
ここで、前記室外機１０は、前記冷媒を凝縮する凝縮器１１、前記凝縮器１１に空気を送風する送風ファン１２及び前記冷媒を圧縮して前記凝縮器１１に供給する圧縮機１３を含める。また、前記室内機２０は供給された高温高圧の冷媒を膨張及び蒸発させる蒸発器２１と、前記蒸発器２１で熱交換された空気を室内に供給する送風ファン２２、また、それぞれ前記蒸発器２１及び送風ファン２２、前記室内機２０のケースに形成される吸入口２３及び吐き出し口２４を含む。
【００３２】
かかる本発明の空気調和機の構成の中で、室外機と室内機は一般的な空気調和機と同一であるのでこれに関する詳しい説明は省略し、前記酸素発生装置を詳しく説明すると次の通りである。
【００３３】
前記酸素発生装置は前記室外機１０の任意の位置に設けられる酸素発生器１００、前記室内機１０内に設けられる酸素排出機２００及び前記酸素発生器１００及び酸素排出機２００を連結する酸素移送管３００からなる。
【００３４】
本発明による空気調和機において、図１に示すように前記酸素発生器１００と前記酸素排出機２００はそれぞれ室外機１０と室内機２０に分離されて位置し、円滑な酸素供給のためにそれぞれ室内外機１０、２０と連繋して作動する。これによって前記酸素発生装置は一般的な空気調和機に比較的に容易に設けられ、前記作動部の酸素発生器１００が外部に位置するので室内に作動騒音が流れ込むことを防止できる。
【００３５】
また、一般的な酸素発生器が独立的に室内に位置されるのとは異なり、本発明では酸素発生装置が前記空気調和機と一体に提供されるので酸素発生装置により室内空間が減少しない。
【００３６】
かかる本発明の酸素発生装置の全体構成の中前記酸素発生器１００は酸素を発生するために発明の空気調和機内で独立的に作動し、かかる酸素発生器の一般的な構成が図２に概略的に示されている。
【００３７】
図２に示すように前記酸素発生器１００は複数の構成要素からなり酸素発生機能を実質的に行う駆動部１２０と前記駆動部を保護する外装部１１０を含む。
ここで、前記駆動部１２０は、一般的に大気中に含まれた約２１％の酸素を分離してユーザに供給する。前記駆動部１２０の酸素発生方式には水の電気分解、化学物質の反応などが適用でき、最近は吸着剤を用いた直接的な吸着が利用されている。かかる多様な方式の中、本発明は取り扱い易く高い安定性を有する吸着剤方式を採択し、かかる前記吸着剤方式による酸素発生器の構成が図３に更に詳しく図示されている。
【００３８】
前記駆動部１２０は図示したように、空気を強制循環させる空気ポンプ１２１、前記空気ポンプ１０と並列で連結して空気流路を選択的に生成する第１及び第２切換弁１２２ａ、１２２ｂ、前記第１、第２切換弁１２２ａ、１２２ｂと連結し、その内部に空気から窒素を吸着する吸着剤Ｚが充填された吸着塔１２３と、前記酸素移送管３００上に設けられる逆止弁１２４からなる。
【００３９】
前記空気ポンプ１０、第１切換ポンプ１２２ａ及び前記吸着塔１２３を互いに連結するように第１流路１２５ａが形成され、前記空気ポンプ１０、第１切換ポンプ１２２ｂ及び前記吸着塔１２３を互いに連結するように第２流路１２５ｂが形成される。
【００４０】
また、第１及び第２空気管１２６ａ、１２６ｂは前記それぞれの切換弁１２２ａ、１２２ｂと外部大気とを連通する。ここで、前記第１空気管１２６ａ、１２６ｂは同一機能を行うので前記駆動部１２０の設計及び設置を容易にするために望ましくは一つに統合され得る。また、前記吸着塔１２３に充填される吸着剤（Ｚ）としては一般的に窒素吸着性に優れるゼオライトが用いられることが望ましい。
【００４１】
既述した構成と共に、前記駆動部１２０は実際的に前記吸着塔１２３の内部が加圧又は真空状態となるように前記第１及び第２切換弁１２２ａ、１２２ｂと前記ポンプ１２１を作動させる制御部１２７を更に含めてなる。前記酸素発生器１００の作動時、前記制御部１２７は前記第１及び第２切換弁１２２ａ、１２２ｂの方向を転換させてポンプ１２１を経る互いに異なる流路を形成する。即ち、前記制御部１２７により前記第１及び第２切換弁１２２ａ、１２２ｂは自らに連結された空気管１２６ａ、１２６ｂ及び前記ポンプ１２１の間を連結したり、前記吸着塔１２３及び前記ポンプ１２１の間を連結する。前記制御部１２７は該流路を用いて設定された時間の間、前記吸着塔１２３の内部外部空気を供給することで前記吸着塔の内部を酸素抽出のための加圧状態とする。
【００４２】
また、前記制御部１２７は前記吸着塔１２３の空気を外部に吐き出すことによって前記吸着塔１２３の内部を窒素脱着のための真空状態にする。また、一般にこのような加圧及び真空状態は前記制御部１２７により酸素発生器が作動する間、周期的に繰り返す。
【００４３】
しかし、前記真空状態及び加圧状態の間には相当な圧力差が存在するのでそれぞれの状態に転換時、酸素抽出及び窒素脱着に適した状態に至るまでには多くの時間が所要され、抽出される酸素流量も減少することになる。
【００４４】
従って、かかる大きい圧力差を減少させるために、前記制御部１２７が加圧及び真空状態を周期的に繰り返しながら加圧及び真空状態以前に所定の時間の間前記吸着塔１２３の内部が大気圧状態を維持するように制御することが望ましい。ここで、前記加圧、真空及び大気圧状態が全てなされ得るように制御部１２７により前記第１及び第２切換弁１２２ａ、１２２ｂ自体に連結された前記空気管１２６ａ、１２６ｂ、ポンプ１２１及び吸着塔１２３のうち、いずれか二カ所を選択的に連結する。
【００４５】
また、図４Ａ〜図４Ｂに示すように前記駆動部１２０は関連駆動部などの制御を補助するように制御部１２７に所定の信号を出力する信号出力部１２８を更に含むことが望ましい。かかる信号出力部１２８により前記制御部１２７は加圧、真空及び大気圧で更に細分化した圧力状態制御を正確に行うことができる。
【００４６】
より詳しくは、前記信号出力部１２８は前記吸着塔１２３の内部の圧力状態変化のための制御作動以降の時間を測定するタイマーとなり得、前記制御部１２７は入力された測定時間値を内部の設定値と比較することで吸着塔内部の圧力状態が変化するように関連駆動部を作動するかどうかを決定することになる。また、前記信号出力部１２８は室内の所定ガスの濃度を測定するガスセンサーを更に含むことができ、前記制御部１２７は駆動部の作動を決定するために入力されたガス濃度値を内部設定値と比較する。
【００４７】
ここで、前記濃度が測定するガスは室内空気の清浄度に影響を及ぼす二酸化炭素であることが望ましい。また、空気調和機の外部に露出するキー入力部が前記信号出力部１２８として用いられ、キー操作により前記制御部１２７に直接作動信号を出力する。従って、ユーザは前記キー入力部を用いて室内空気状態によって直接加圧状態又は真空状態を選択することができる。
【００４８】
前記切換弁１２２ａ、１２２ｂとして一般的な用途に適した個数のポートが形成されたシリンダーとその内部で往復運動し流路を形成するスプールからなる通常の切換弁が用いられる。しかし、本発明において弁自体の作動安定性及び酸素発生性能の向上のために通常の切換弁と異なる形態の弁が用いられ、これらの弁を図５および図６Ａ、６Ｂを参照して説明すると次のようである。
【００４９】
図示したように本発明による切換弁は第１及び第２切換弁４００、５００からなり、これらの主な機能は前述した第１及び第２切換弁１２２ａ、１２２ｂと本質的に同一である。
これらの切換弁４００、５００は部分的にだけ互いに異なる構成を有するので互いに同一の構成を中心として次に説明する。
【００５０】
前記第１切換弁４００と第２切換弁５００は共通的に外形を成すケース本体４１０、５１０内部の一端から他端に向かって一定の長さが延長された垂直壁４１１、５１１を含む。また、前記垂直壁により区切られた両側を横切って第１水平部材４２１、５２１及び第２水平部材４２６、５２６が設置されて前記ケース本体４１０、５１０の一端部はそれぞれ密閉される。
【００５１】
また、前記各水平部材４２１、４２６、５２１、５２６には前記ケース本体４１０、５１０の一端部と他端部を連通する流入口４２２、４２７、５２２、５２７が形成され、前記流入口４２２、４２７、５２２、５２７の周囲には前記流入口４２２、４２７、５２２、５２７を通じて流入した空気が前記ケース本体４１０、５１０の外に流出するように流出口４２３、４２８、５２３、５２８が形成される。
また、前記各水平部材４２１、４２６、５２１、５２６により密閉された一端部には前記各水平部材の流出口４２３、４２８、５２３、５２８を開閉する開閉手段が備えられる。
【００５２】
前記開閉手段は具体的に前記各流出口４２３、４２８、５２３、５２８を開閉する第１開閉部材４５１、５５１及び第２開閉部材４５６、５５６を含む。また、前記開閉手段において、前記各開閉部材４５１、４５６、５５１、５５６の周りには電磁気力により前記各開閉部材４５１、４５６、５５１、５５６を移動させることで前記各流出口を開閉する第１電磁石部材４６１、５６１及び第２電磁石部材４６６、５６６が設けられる。また、前記開閉手段は前記各開閉部材４５１、４５６、５５１、５５６を復元させることによって前記各流出口４２３、４２８、５２３、５２８を遮断する第１弾性部材４７１、５７１及び第２弾性部材４７６、５７６を備える。
【００５３】
特に、前記各水平部材の流出口４２３、４２８、５２３、５２８を開閉する第１開閉部材４５１、５５１及び第２開閉部材の先端には密閉のためにパッキング部材４８０、５８０を備えることが望ましい。
【００５４】
また、前記各水平部材４２１、４２６、５２１、５２６は外力が加えられると形状が変形し、外力が除去されると元の状態に戻るゴムのような柔軟な材料で形成される。また、前記のように各水平部材を柔軟な材料で形成する場合には、前記水平部材の形状を維持するための形状維持部材４９０がこれに結合されることが望ましい。
【００５５】
尚、互いに区別される構成を説明すると、先ず第１切換弁４００において前記各水平部材４２１、４２６の下部に前記流入口４２２、４２７とそれぞれ連通するように第１吸入管４３１及び第２吸入管４３６が設けられ、前記吐き出し管４４０は前記流出口４２３、４２８と連通するように設けられる。また、前記酸素発生器１００に装着時、第１吸入管４３１は前記第１空気管１２６ａと連結して外部大気と連通し、第２吸入管４３６は吸着塔１２３側に連結される。また、前記吐き出し管４４０はポンプ１２１の入口側と連結する。
【００５６】
第２弁部５００ではケース本体５１０の他の一方に吸入管５３０が備えられ、各水平部材の流出口５２３、５２８にはそれぞれ第１吐き出し管５４１と第２吐き出し管５４６が設けられる。また、前記酸素発生器１００に装着時前記吸入管５３０はポンプ１２１の出口側に連結され、前記第１吐き出し管５４１は前記第２空気管１２６ｂを通じて外部と連結し、前記第２吐き出し管５４６は吸着塔１２３側と連結する。
【００５７】
このように構成される切換弁において、最初、第１切換弁４００に電源が印加されない状態では、前記水平部材４２１、４２６により分割されるケース本体４１０の一端部と第１吸入管４３１側の圧力は同一である。従って、前記水平部材４２１、４２６は変形せず、流出口４２２、４２７は開閉部材４５１、４５６により遮断されているのでケース本体４１０の外に空気流出しない。
【００５８】
この時、第１電磁石部材４６１に電源が印加されると、図６Ａに示すように前記第１電磁石部材４６１により発生した電磁気力が第１開閉部材４５１を移動させることで第１水平部材の流出口４２３を開放させる。そうすると、第１吸入管４３１を通じてケース本体４１０の一端部に流入した空気が第１水平部材の流出口４２３を通じて流出することによって前記水平部材４２１により密閉された一端部と第１吸入管４３１側の圧力均衡が瞬間的に崩れる。
【００５９】
即ち、前記第１水平部材４２１により密閉される一端部の圧力が第１吸入管４３１側の圧力より低くなることによって吸入される空気が前記第１水平部材４２１の底面を加圧する。かかる瞬間的な圧力差により柔軟な第１水平部材４２１はケース本体４１０の一端部側に変形され、前記第１水平部材４２１の底面と吐き出し管４４０との間に隙間が発生する。従って、空気はこのように発生した隙間を通じて前記吐き出し管４４０に吐き出される。
【００６０】
その後、第１電磁石部材４６１により電源が遮断されると、第１開閉部材４５１は第１弾性部材４７１により復元され、第１水平部材４２１により密閉された一端部と第１吸入管４３１側の圧力が同一になる。従って、前記第１水平部材４２１は元の状態に戻し、前記第１水平部材４２１の底面と前記吐き出し管４４０との隙間は無くなる。
【００６１】
もし、第１電磁石部材４６１により電源を遮断すると共に、第２電磁石部材４６６には電源を印加すると、第２吸入管４３６を通じて吸入された空気は前記したように同一作用により発生した隙間を通じて吐き出し管に吐き出される。
【００６２】
結果として、第１切換弁４００は第１電磁石部材４６１と第２電磁石部材４６６に電源を選択的に印加することで第１吸入管４３１又は第２吸入管４３６に空気を選択的に吸入して吐き出し管４４０に吐き出すことができる。
【００６３】
第２切換弁５００もやはり前述した第１切換弁４００と類似に作動するが、第２切換弁５００には前記第１切換弁４００と違って一つの吸入管５３０と、二つの吐き出し管５４１、５４６がそれぞれ設けられる。従って、前記第２切換弁部５００は第１電磁石部材５６１の第２電磁石部材５６６に電源を選択的に印加することで吸入管５３０に空気を吸入して第１吐き出し管５４１又は第２吐き出し管５４６に空気を選択的に吐き出すことができる。
【００６４】
このような本発明による弁の構成とは異なり、通常の切換弁においてスプルに空気の漏洩を防止するためにパッキングが付着され、前記パッキングは入力される空気圧力により加圧されてスプルとシリンダーとの間を密閉する。しかし流入する空気圧力が低い場合にはスプルとシリンダーとの間の密閉が適切に成されず圧力損失が発生する。従って、吸着塔１２３の内部圧力が実質的に減少するので酸素発生量が低下する。
【００６５】
しかし、既述したように本発明による切換弁４００、５００の構造では構造的に確かに密閉が成されるので切換作動注入中の圧力損失は最小化する。従って、吸着塔１２３の内部の圧力低下が防止され、一定の酸素発生流量が得られる。また、各水平部材４２１、４２６、５２１、５２６が柔軟な材料で成されて圧力変化に敏感であるので低圧力範囲でも使用可能である。
【００６６】
尚、前記酸素発生器１００自体の付着位置において、前記室外機１０の上部に前記酸素発生器１００は他の側面部に比べてより容易に設置され得、また、より安定的に支持される。従って、酸素発生器１００は既述のように前記室外機１０の任意の位置即ち、吸入部を除いた前記室外機１０の任意の位置に位置され得るが、図７に図示したように前記室外機１０の上部に位置することが望ましい。これによって前記酸素発生器１００は前記室外機１０と分離して設置可能であり、また、前記室外機１０と一体形成することもできる。
【００６７】
分離して設置する場合、前記酸素発生器１００の外装部１１０は別途の構成要素を含めてなる。より詳しくは図８に示すように前記外装部１１０は前記室外機１０の上部に固定される支持板１１１と前記支持板１１１上に固定されるハウジング１１２からなり、前記支持板１１１及びハウジング１１２はそれぞれ所定の固定手段により固定される。ここで前記支持板１１１には前記駆動部１２０が固定され、これによって前記支持板１１１は前記室外機１０の上部と共に前記駆動部１２０を安定して支持する。
【００６８】
また、前記ハウジング１１２は前記支持板１１１上の駆動部１２０を保護するように覆う。
また、前記室外機１０と一体形成される場合、前記外装部１１０は前記室外機１０と一部構成要素を共有する。即ち、前記図９に示すように前記外装部１０は前記室外機１０とハウジング１１４を互いに共有する。従って前記外装部１１０は前記室外機１０の駆動部の上部、より詳しくは前記室外機駆動部支持構造の上端に設けられる分離板１１３と前記駆動部１２０及び下部の室外機１０の駆動部を共に保護するハウジング１１４からなる。ここで、前記分離板１１３は前記駆動部１２０の設置領域を確保するように内部領域を分割し、ここに固定された駆動部１２０を支持する。
【００６９】
尚、前記室外機１０及び前記酸素発生器１００は互いに連通するように形成されて前記酸素発生器１００内の駆動部１２０の第１及び第２空気管１２６ａ、１２６ｂが前記室外機１０内の圧縮機１３の周辺に位置することが望ましい。実際に前記圧縮機１３が作動すると、その周囲温度は高温状態となり、前記第１及び第２空気管１２６ａ、１２６ｂを介して前記圧縮機の周囲の高温空気を吸入することで前記酸素発生器１００の効率が増加する。
【００７０】
このために、前記酸素発生器１００が分離して設置される場合、図８に示すように前記外装部１１０の支持板１１１は前記第１及び第２空気管１２６ａ、１２６ｂが経る所定大きさの貫通孔１１１ａを更に含み、前記室外機１０にもまた、前記貫通孔１１１ａに当たる貫通孔が形成される。
【００７１】
また、前記室外機１０と一体形成される場合、図７に示すように前記分離板１１３に第１及び第２空気管１２６ａ、１２６ｂが通過できるように所定大きさの貫通孔１１３ａが形成される。
【００７２】
前記それぞれの連通構造により前記第１及び第２空気管は図１０に示すように前記圧縮機１３の周辺に位置される。ここで、示したように前記空気管１２６ａ、１２６ｂが前記圧縮機１３の周辺に容易に配置されるためには前記貫通孔１１１ａ、１１３ａが前記圧縮機の上部と隣接して形成されることが望ましい。また、より望ましくは前記空気管１２６ａ、１２６ｂをより安定的に配列するために前記空気管１２６ａ、１２６ｂを固定する固定部材が前記圧縮機１３の表面又はその周辺に付着され得る。
【００７３】
本発明の酸素発生装置の中、前記酸素移送管３００は前記酸素発生器１００から発生した酸素を前記酸素排出機２００まで伝達する。ここで望ましくは、図１１に示すように高温高圧の冷媒が流動する冷媒管３０ａよりは低温低圧の冷媒が流動する冷媒管３０ｂに隣接して配置されることが望ましい。これはかかる配置によって移送される酸素の温度が低下して新鮮で快適な酸素が供給され得るからである。また、更に効率的に酸素温度を低下させるために前記酸素移送管３００が前記冷媒管３０ｂを中心として巻かれるように配列することが更に望ましい。
【００７４】
最後に、前記酸素発生器のうち、前記酸素排出機２００は図１２に示すように前記酸素移送管３００と連結して酸素を室内に放出する酸素排出部２１０からなる。ここで、前記酸素排出部２１０は冷却される空気が吸入される前記蒸発器２１の前方又は冷却空気が排出される蒸発器の後方に配置されることが望ましい。これはいかなる場合にも前記酸素排出部２１０から出た酸素が冷却されて更に新鮮に供給され得るからである。
【００７５】
また、望ましくは前記酸素発生器２００は前記酸素移送管３００と連結して酸素供給流量を表示する酸素発生表示部２２０を更に含めてなされる。ここで、前記酸素発生表示部２２０は両端がそれぞれ酸素移送管３００及び酸素排出部２１０と連結し、内部に前記連結される両先端と連通する流路が形成される本体２２１、前記本体１２の前方に付着される透明窓２２２及び前記本体１０の流路内に挿入されるフロート２２３からなる。これによって前記酸素移送管３００から酸素が供給される時前記フロート２２３は浮遊し酸素供給量によって前記フロート２２３の浮遊高さは違ってくる。また、本発明の空気調和機のユーザは前記透明窓２２２を介して前記フロート２２３の上昇温度を確認できる。従って、前記酸素発生表示部２２０は優先してユーザに酸素発生を示す視覚的な効果を提供し、また、酸素発生量を比較的正確に測定できる。
【００７６】
既述したように本発明による空気調和機は室内に酸素を供給できる構成を有し、かかる構成による本発明の作動を図面を参照して説明すると次のとおりである。
本発明の作動は大きく室内空気を一定温度及び湿度で維持させる空気調和過程と前記室内に一定量の酸素を供給する酸素供給過程とに分けられる。また、前記空気調和過程は前記室外機１０及び室内機２０を用いて行われ、前記酸素供給過程は前記酸素発生器１００及び酸素排出機２００などを用いて行われる。
【００７７】
前記空気調和過程において、先ず図１に示すように前記圧縮機１３は前記蒸発器２１から冷媒管３０を通じて移送された低温低圧の冷媒を圧縮する。また、前記圧縮された冷媒は凝縮器１１で高温高圧の液相冷媒に相変化し、前記冷媒管３０を通じて前記蒸発器２１に移送される。
【００７８】
前記蒸発器２１で膨張及び蒸発された冷媒は前記吸入口２３を通過した空気と熱交換し、このように冷却された空気は前記排出口２４を通じて室内へ供給される。
かかる本発明の空気調和過程は一般的なものであるので詳しい説明は省略し、前記酸素供給過程を図１〜図３を参照して詳しく説明すると次のとおりである。
【００７９】
前記酸素供給過程は前記酸素発生器１００により行われる酸素発生過程、前記発生された酸素を前記酸素移送管３００を通じて前記酸素排出器２００に伝える酸素移動過程、また、前記酸素排出器２００により行われる酸素排出過程に細分できる。
【００８０】
かかる酸素供給過程のうち、前記酸素発生過程は一般的に外部空気から窒素を吸着し、酸素を分離発生するために吸着塔１２３内を加圧する段階と、吸着剤に吸着された窒素を脱着排出する真空段階とに区分される。
【００８１】
まず、前記加圧段階では先ず空気ポンプ１２１の作動により第１切換弁１２２ａ及び第１空気管１２６ａを通じて外部空気が流入して圧縮される。以降、圧縮された空気は第２切換弁１２２ｂ及び第２流路１２５ｂを通じて吸着塔１２３内に供給され、これによって前記吸着塔１２３は流入された外部空気により加圧される。
【００８２】
かかる加圧途中外部空気中に含まれている窒素が前記吸着塔１２３内の吸着剤Ｚに吸着することによって酸素が分離して一定圧力以上になると、前記逆止弁１２４により酸素移送管３００に排出される。
【００８３】
尚、前記真空（減圧）段階で前記第１及び第２切換弁１２２ａ、１２２ｂは前記加圧段階とは反対に流路を切換る。即ち、前記第１切換弁１２２ａは第１流路１２５ａと連結し、前記第２切換弁１２２ｂは第２空気管１２６ｂと連結する。ここで、前記空気ポンプ１２１は前記加圧段階と同一に前記第１切換弁１２２ａから第２切換弁１２２ｂに空気を移送するので前記空気ポンプ１２１の吸入力により吸着塔３０の内部が真空状態となる。また、こういう逆方向の空気流動について前記逆止弁１２４は閉鎖状態を維持する。かかる真空過程の中、前記吸着剤Ｚから窒素ガスが脱着して前記吸着塔１２３から前記第１流路１２５ａ、第１切換弁１２２ａ、空気ポンプ１２１、第２切換弁１２２ｂ及び第２空気管１２６ｂを順次に経て外部に排出される。これによって前記吸着塔１２３の内部の吸着剤は前記加圧段階により更に酸素発生が可能な状態で還元される。
【００８４】
このように一般的な酸素発生過程では加圧段階及び減圧段階が繰り返して行われるので持続して酸素が発生する。しかし一般的な酸素発生過程において吸着塔内部の圧力変化を示す図１３を参照すると、加圧段階時に吸着塔１２３を真空状態で設定圧力状態まで加圧したり、減圧段階時に吸着塔１２３を真空状態で設定した真空状態まで減圧させるのに相当な時間が所要される。従って、一定加圧／減圧時間の間に設定した圧力状態を維持する時間が相対的に短縮して吸着塔１２３内の圧力と比例関係にある酸素の出力流量に限界がある。また、加圧段階から減圧段階に、また、減圧段階から加圧段階に急に転換されるのでこの時の圧力変化により空気ポンプ１２１に瞬間的に激しい衝撃が発生して酸素発生器の安定性に悪影響を及ぼす。
【００８５】
このような問題は加圧又は減圧段階に転換される前に前記吸着塔１２３内の圧力をある程度補償する段階を設定することによって解決できる。
図１４は本発明による酸素供給方法の第１実施例を示すフローチャートである。第１実施例において、各段階は時間を基準として制御され、これによって前記制御部１２７と連動するように時間測定が可能なタイマーである信号出力部１２８が適用される。
【００８６】
図示したように先ず、酸素発生器２００の作動時に前記吸着塔１２３は外部大気と連通してその内部が大気圧状態に調節される。
かかる大気圧初期調節段階において、先ず、図４Ａに示すように前記吸入側の第１切換弁１２２ａと排出側の第２切換弁１２２ｂは吸着塔１２３の内部が外部と連通するように切り換えられる。即ち、前記制御部１２７の制御により、前記第１切換弁１２２ａが吸着塔１２３と第１空気管１２６ａを連結すると共に前記第２切換弁１２２ｂやはり吸着塔１２３と第２空気管１２６ｂとを連結する。ここで図６の切換弁４００、５００が適用される場合、全ての開閉部材４５１、４５６、５５１、５５６が同時に開閉され、これによって開放された各流出口４２３、４２８、５２３、５２８を通じて前記吸着塔１２３は外部大気と連通できる。
【００８７】
以降、前記信号出力部１２８で切り換え以降の時間Ｔが測定され始め、前記制御部１２７に出力される。また、前記信号出力部１２８で測定される時間は制御部１２７でその内部に設定された大気圧の維持時間Ｔａと比較される。ここで、前記測定された時間Ｔが設定時間Ｔａと同じでなければ先に設定された前記切換弁１２２ａ、１２２ｂの切換状態を持続することによって前記吸着塔１２３の内部が大気圧状態で継続して維持される。即ち、前記制御部１２７に設定された大気圧の維持時間Ｔａの間大気圧状態が維持される。
【００８８】
前記信号出力部１２８で測定された時間が前記大気圧の維持時間Ｔａと同じになると、上述した大気圧の初期調節段階が終了し、前記吸着塔１２３の内部の吸着剤Ｚから窒素を脱着するために前記吸着塔１２３の内部が設定された真空度まで減圧される。
【００８９】
かかる減圧段階において先ず図４Ｂに示すように、第１切換弁１２２と第２切換弁１２２ｂは前記制御部１２７により吸着塔１２３からポンプ１２１を経て外部空気、即ち、空気管１２６ｂに繋がる流路を形成するように切り換える。より詳しくは、制御部１２７の制御により、前記第１切換弁１２２ａは吸着塔１２３とポンプ１２１の間を連結すると共に前記第２切換弁１２２ａはポンプ１２１側と第２空気管１２６ｂとの間を連結する。
【００９０】
以降、前記信号出力部１２８で切換以降の時間Ｔが測定されて、前記制御部１２７に出力し、これと共に前記ポンプ１２１が作動される。ここで実質的に前記ポンプ１２１の吸入力により前記吸着塔１２３の内部空気が吸入されて外部に排出しつつ真空状態まで減圧される。この時吸着塔Ｚに吸着されていた窒素は形成された真空雰囲気により前記吸着剤Ｚで分離され、第１切換弁１２２ａ、ポンプ１２１及び第２切換弁１２２ｂを順次に経て外部に排出する。
【００９１】
かかる減圧時のポンプ１２１の作動段階において、前記酸素発生器１００に図５の切換弁４００、５００が適用される場合、図６Ｂに示すように先ず、第１切換弁の第２電磁石部材４６６と、第２切換弁の第１電磁石部材５６１により前記第１切換弁の第２開閉部材４５６と、第２切換弁の第１開閉部材５５１が移動する。かかる開閉部材の移動により第２水平部材の流出口４２８と、第１水平部材の流出口５２３が開放される反面、第１水平部材の流出口４２３と、第２水平部材の流出口５２８は遮蔽状態となる。これによって、第２吸入管４３６は吸着塔１２３と連結し、第１吐き出し管５４１は第２空気管１２６ｂに連結され、吸着塔１２３の内部の空気は第１切換弁４００、空気ポンプ１２１、第２切換弁５００を経て外部に排出される。
【００９２】
このように前記減圧段階は大気圧状態で開始するので設定された真空度まで減圧される圧力の大きさがその分減ることになる。従って、図１５Ａに示すように従来と比較して前記吸着塔１２３の内部が設定された真空状態まで到達する時間が大きく短縮される。
【００９３】
尚、前記ポンプ１２１の作動が続けられる間、前記信号出力部１２８で測定される時間Ｔは制御部１２７でその内部に設定された真空状態の維持時間Ｔｖと比較される。ここで、前記信号出力部１２８で測定された時間Ｔが制御部１２７に設定された真空状態の維持時間Ｔｖと異なると、前記ポンプ１２１の作動が続く。
【００９４】
もし、前記信号出力部１２８で測定された時間が真空状態の維持時間Ｔｖと同じになると、前記減圧段階は実質的に終了し、前記吸着塔１２３は更に外部大気と連通してその内部が大気圧の状態で調節される。
【００９５】
前記大気圧再調節段階は前記信号出力部１２８及び制御部１２７により前記ポンプ１２１が停止された後、前記制御部１２７に設定された大気圧の維持時間の間、正確に行われ、かかる大気圧の再調節段階は前記で説明した大気圧の初期調節段階と同一であるのでより詳しい説明は省略する。
【００９６】
前記大気圧の再調節段階が完了すれば、続けて前記吸着剤Ｚを用いて空気から酸素を抽出するために前記吸着塔内部は設定された圧力まで加圧される。
前記加圧段階において、先ず図４Ｃに示すように前記切換弁１２２ａ、１２２ｂは前記制御部１２７により外部大気即ち、空気管１２６ａから前記ポンプを経て前記吸着塔１２３まで続く流路を形成するように切り換える。即ち、前記第１切換弁１２２ａが第１空気管１２６ａ及びポンプ１２１の間を連結し、前記第２切換弁１２２ｂはポンプ１２１と吸着塔１２３との間を連結する。
【００９７】
以降前記信号出力部１２８で前記切換段階以降の時間Ｔが測定されて、前記制御部１２７に出力され、同時に前記制御部１２７は前記ポンプ１２１を作動させる。ここで、外部空気は前記第１切換弁１２２ａを経て前記ポンプ１２１で圧縮され、更に前記第２切換弁１２２ｂを経て吸着塔１２３の内部に流入される。これによって、前記吸着塔１２３の内部は流入される圧縮空気により加圧されつつ、外部空気に含まれていた窒素が吸着剤Ｚに吸着されて酸素が分離生成される。また、このように生成された酸素は一定量以上となると前記チャック弁１２４を通じて排出される。
【００９８】
ここで、前記酸素発生器１００に図５の切換弁が適用される場合、図６Ａに示すように先ず、第１電磁石部材４６１と、第２電磁石部材５６６により第１開閉部材４５１と第２開閉部材５５６が移動することによって第１水平部材の流出口４２３と、第２水平部材の流出口５２８が開放される。これによって、第１吸入管４３１は前記第１空気管１２６ａと連結し、第２吐き出し管５４６は吸着塔１２３と連結して、外部からの空気は酸素が発生するように第１切換弁４００、空気ポンプ１２１、第１切換弁５００を経て吸着塔１２３へ流入する。
【００９９】
このように前記加圧段階は既述した減圧段階と同一に大気圧状態で開始されるので設定圧力まで加圧される圧力の大きさが実質的に減ることになり、図１５Ａに示すように前記吸着塔１２３が設定された圧力状態で更に速やかに到達される。
【０１００】
尚、前記ポンプ１２１の作動の中、前記信号出力部１２８で測定される時間Ｔは制御部１２７でその内部に設定された加圧状態の維持時間Ｔｃと持続的に比較される。ここで、前記信号出力部１２８で測定された時間Ｔが制御部１２７に設定された加圧状態維持時間Ｔｅと異なると、加圧状態が維持されるように前記ポンプ１２１の作動が継続される。以降、前記測定時間Ｔが加圧状態の維持時間と同じくなると、前記加圧段階は実質的に終了し、前記吸着塔１２３は再び外部大気と連通してその内部が大気圧状態で再度調節される。
【０１０１】
以降、前記酸素発生方法の第１実施例において、酸素発生器１００が作動する間、前記大気圧の初期調節段階以降に前記減圧段階、大気圧再度設定段階、加圧段階が順次に反復される。また、既述の通り、大気圧初期調節段階以降減圧段階が先ず行われるが、前記減圧段階及び加圧段階が互いにその順序を変えて行うことも可能である。即ち、前記加圧段階が前記大気圧の初期調節段階以降に行われ、前記減圧段階が前記大気圧の再調節段階以降に行える。
【０１０２】
以上説明した通り本発明の酸素発生方法により加圧及び減圧段階で設定圧力及び真空状態までの到達時間が短縮される。従って、一定の加圧時間Ｔｃ及び減圧時間Ｔｖ下で相対的に設定圧力及び設定真空状態を維持する時間が延長されるので酸素発生器の設定圧力と真空度を高めるだけではなく、時間が延長されるので酸素発生量及び酸素濃度を増加させることも可能である。
【０１０３】
また、図１５ｂに示すように加圧時間Ｔｃ及び真空時間Ｔｖを短縮させて同一時間に前記減圧及び加圧段階を更に多数回に反復して酸素発生量及び酸素濃度を増加させることができる。
【０１０４】
尚、前記減圧及び加圧段階制御の時に既述のタイマー以外にも室内のガス濃度を測定するガスセンサーが前記信号出力部１２８として使用され得るし、かかるガスセンサーが適用された本発明による酸素発生方法の第２実施例が図１６に図示される。
【０１０５】
前記第２実施例において、前記各大気圧調節段階は既述された第１実施例の大気圧の調節段階と実質的に同一なので前記減圧及び加圧段階は以下詳しく説明する。
【０１０６】
先ず、前記第２実施例の減圧段階において、最初大気圧の調節段階が終了すると、前記切換弁１２２ａ、１２２ｂは前記吸着塔１２３から前記第２空気管１２６ｂまでの空気排出流路を形成するために前記制御部１２７により前記第１実施例の減圧時に切換段階と同一に切り換えられる。
【０１０７】
以降前記信号出力部１２３で室内のガス濃度が測定されて前記制御部１２７に出力され、前記制御部１２７は円ポンプ１２１を作動させる。前記第２実施例において前記信号出力部１２８が感知するガスは多様に選択できるが、室内空気の清浄度に関する二酸化炭素の濃度が前記信号出力部１２８により測定されることが望ましい。前記ポンプ１２１の作動のうちに吸着塔１２３の内部が減圧され、これによって吸着剤Ｚから分離された窒素が形成された流路に沿って外部へ排出される。
【０１０８】
尚、後継ぐ前記制御部１２７における比較段階の間前記信号出力部１８１で測定二酸化炭素の濃度が制御部１２７に設定された最大の二酸化炭素の濃度未満であれば、相対的に室内の酸素濃度が適正するということを意味する。
【０１０９】
従って、減圧状態が継続されるように前記制御部１２７は前記ポンプ１２１の作動を維持する。又、もし測定された二酸化炭素の濃度が設定された最大の二酸化炭素の濃度以上となる場合、これは室内の酸素濃度がその分、低くなったということを意味する。従って、室内の酸素濃度の増加のための加圧段階が行われるに適した圧力状態を形成するために大気圧の調節段階が行われる。
【０１１０】
前記大気圧の調節段階が所定の時間の間行われた後、後続する加圧段階において、前記切換弁１２２ａ、１２２ｂは前記第１実施例の加圧時切換段階と同一に前記吸着塔１２３までの空気吸入流路を形成する。
【０１１１】
以降、前記信号出力部１２８において室内のガス濃度が測定され、吸着塔の内部を加圧により酸素が発生されるように前記ポンプ１２１が作動される。
前記制御部１２７における比較段階で前記信号出力部１２８で測定された二酸化炭素の濃度が制御部１２７に設定された最小の二酸化炭素の濃度を超過する場合、室内の酸素濃度を増加させるために前記制御部１２７は前記ポンプ１２１作動を維持する。また、もし、測定された二酸化炭素濃度が設定された最小の二酸化炭素濃度の以下となる場合、これは室内の酸素濃度が十分であることを意味するので減圧段階に先立って圧力補償のための予備段階である大気圧調節段階が行われる。
【０１１２】
以上説明したように前記第２実施例において最大の二酸化炭素濃度と最小の二酸化炭素の濃度が設定され、これらの濃度範囲で加圧段階と真空段階が反復して行われることによって室内が最適の酸素濃度で維持され得る。これと共に、前記第１実施例と同様に圧力状態の転換の時に所定時間の大気圧の調節段階が先行することによって設定された圧力状態及び真空状態まで到達する時間が大きく短縮される。
【０１１３】
尚、本発明による酸素発生方法の第３実施例として前記減圧及び加圧段階制御時、先だって説明したタイマー以外にも前記制御部１２７へ制御信号を直接出力するキー入力部が前記信号出力部１２８として用いられる。
【０１１４】
前記キー入力部を用いることによってユーザは室内の空気状態を判断して加圧状態又は真空状態を直接選択することができ、制御部１２７は前記キー入力部から入力される信号によって前記加圧段階又は減圧段階を行うことになる。勿論、前記第３実施例ではやはりかかる直接的な圧力状態の転換の時に大気圧の段階を経由するようにすることで前記した第１実施例、第２実施例で説明したように設定圧力状態又は真空状態まで至る時間を短縮できることは勿論である。
【０１１５】
最終的にこのような一連の酸素発生過程の中で発生した酸素は前記酸素移送管３００を通じて酸素排出機２００に伝達され、最終的に前記酸素排出過程で前記空気調和過程によって冷却された空気と共に前記室内機２０から室内に排出される。
【０１１６】
前記で説明した前記酸素供給過程の全体は本発明による空気調和機内で一般的に前記空気調和過程と共に行われるが、ユーザの必要によって独立的に行われて前記室内に酸素だけを供給することができる。
【０１１７】
上述した本明細書において、好適ないくつかの一実施態様について説明したが、前記実施態様に限らず、本発明の技術思想に基づいて種々の変形が可能である。
【産業上の利用可能性】
【０１１８】
既述した本発明の効果を要約すると次の通りである。
第一は、本発明によって、前記空気調和機は効果的に室内に酸素を供給できる構造を有する。
本発明では分離された空気調和機の構造によって酸素発生装置は酸素発生器及び酸素排出機とに分離されて、それぞれ室外機及び室内機と統合する。
【０１１９】
このように空気調和機の構造に最適な酸素発生装置により前記空気調和機自体は別途に構造を変更せずに酸素供給能力を有することになる。また、単に、酸素排出機だけが前記室内機に内蔵されるので前記空気調和機は酸素供給能力を有しながらも外形が大きくならず、室内空間を減少させない。
【０１２０】
第二は、前記空気調和機の内部の酸素発生装置の性能が実質的に向上できる。
本発明において、前記酸素発生装置は前記空気調和機と部分的に連動することによって作動上様々な長所を有する。即ち、前記酸素移送管が低温低圧の冷媒管の近所に配列され前記酸素排出部が蒸発器の前後に位置することによって発生した酸素をより新鮮に室内へ供給できる。また、前記駆動部の空気管が前記圧縮機の周辺に配置されることによって駆動部内部に吸入された高温空気によって酸素発生効率を増加できる。
【０１２１】
第三は、確かに密閉する構造を有する切換弁を適用することによって切換作動の中の圧力損失を最小化する。かかる本発明の切換弁は作動中の圧力損失を最小化できる。
【０１２２】
かかる本発明の切換弁は作動の中の吸着塔内の圧力低下を防止し、一定の酸素発生流量を保障する。
また、本発明の切換弁は、柔軟な材料からなる水平部材の適用により圧力変化に敏感に作動するので低圧力でも使用可能である。
【０１２３】
第四は、酸素発生の過程において、圧力状態の転換の時に圧力補償する予備段階を適用することで酸素発生の性能を向上できる。
即ち、本発明において加圧段階と減圧段階との間に大気圧の調節段階を導入することによって設定圧力状態又は真空状態まで至る時間が短縮される。
【０１２４】
従って、一定の加圧周期又は真空周期を維持する場合には設定圧力又は真空状態を維持する時間が相対的に増加するので加圧圧力及び真空度を高めることができ、酸素発生量及び酸素濃度も増加できる。また、加圧段階及び減圧段階の時間を短縮して一定の時間内の各段階の反復回数を増加させることができる。
【０１２５】
また、酸素発生器が大気圧の状態で加圧又は真空されるので加圧と真空の急激な転換によりポンプに瞬間的に発生する衝撃が抑制され、酸素発生器の耐久性及び作動安定性が向上される。
【図面の簡単な説明】
【０１２６】
【図１】本発明による空気調和機の構成を示す概略図である。
【図２】本発明による空気調和機のうち酸素発生器の構成を示す概略図である。
【図３】図２の酸素発生器の駆動部を詳しく示す概略図である。
【図４Ａ】酸素発生器の駆動部の変形例を示す概略図である。
【図４Ｂ】酸素発生器の駆動部の変形例を示す概略図である。
【図４Ｃ】酸素発生器の駆動部の変形例を示す概略図である。
【図５】図５は酸素発生器の駆動部に適用される切換弁の変形例を示す断面図。
【図６Ａ】図５の切換弁変形例の作動状態を示す断面図である。
【図６Ｂ】図５の切換弁変形例の作動状態を示す断面図である。
【図７】本発明の空気調和機で酸素発生器が設けられる位置の一例を示す概略図である。
【図８】図７による酸素発生器の設置構造の一実施例を示す分解斜視図である。
【図９】図７による酸素発生器の設置構造の他の実施例を示す分解斜視図である。
【図１０】図８、９の実施例によって装着された酸素発生器を示す概略図である。
【図１１】本発明による酸素位相管の配列を示す空気調和機の概略図である。
【図１２】本発明による空気調和機のうち酸素排出器の構成を示す概略図及び斜視図である。
【図１３】一般的な酸素発生過程で加圧段階及び真空段階の周期による吸着塔内部の圧力変化を示す図である。
【図１４Ａ】本発明による空気調和機の酸素発生方法の第１実施例を示すフローチャートである。
【図１４Ｂ】本発明による空気調和機の酸素発生方法の第１実施例を示すフローチャートである。
【図１５Ａ】本発明による酸素発生方法の第１実施例で加圧段階及び真空段階の周期による吸着塔の内部の圧力変化を示す図である。
【図１５Ｂ】本発明による酸素発生方法の第１実施例で加圧段階及び真空段階の周期による吸着塔の内部の圧力変化を示す図である。
【図１６】本発明による空気調和機の酸素発生方法の第１実施例を示すフローチャートである。
【図３】
2004536687.tif 000003
【図４Ａ】
2004536687.tif 000004
【図４Ｂ】
2004536687.tif 000005
【図４Ｃ】
2004536687.tif 000006
【図５】
2004536687.tif 000007
【図６Ａ】
2004536687.tif 000008
【図６Ｂ】
2004536687.tif 000009
【図１３】
2004536687.tif 000010
【図１４Ａ】
2004536687.tif 000011
【図１４Ｂ】
2004536687.tif 000012
【図１５Ａ】
2004536687.tif 000013
【図１５Ｂ】
2004536687.tif 000014
【図１６】
2004536687.tif 000015
【国際公開パンフレット】
2004536687.tif 000016
2004536687.tif 000017
2004536687.tif 000018
2004536687.tif 000019
2004536687.tif 000020
2004536687.tif 000021
2004536687.tif 000022
2004536687.tif 000023
2004536687.tif 000024
2004536687.tif 000025
2004536687.tif 000026
2004536687.tif 000027
2004536687.tif 000028
2004536687.tif 000029
2004536687.tif 000030
2004536687.tif 000031
2004536687.tif 000032
2004536687.tif 000033
2004536687.tif 000034
2004536687.tif 000035
2004536687.tif 000036
2004536687.tif 000037
2004536687.tif 000038
2004536687.tif 000039
2004536687.tif 000040
2004536687.tif 000041
2004536687.tif 000042
2004536687.tif 000043
2004536687.tif 000044
2004536687.tif 000045
2004536687.tif 000046
2004536687.tif 000047
2004536687.tif 000048
2004536687.tif 000049
2004536687.tif 000050
2004536687.tif 000051
2004536687.tif 000052
2004536687.tif 000053
2004536687.tif 000054
2004536687.tif 000055
2004536687.tif 000056
2004536687.tif 000057
2004536687.tif 000058
2004536687.tif 000059
2004536687.tif 000060
2004536687.tif 000061
2004536687.tif 000062
2004536687.tif 000063
2004536687.tif 000064
2004536687.tif 000065
2004536687.tif 000066
2004536687.tif 000067
2004536687.tif 000068
2004536687.tif 000069
2004536687.tif 000070
2004536687.tif 000071
2004536687.tif 000072
2004536687.tif 000073
2004536687.tif 000074
2004536687.tif 000075
2004536687.tif 000076
2004536687.tif 000077
2004536687.tif 000078
2004536687.tif 000079
2004536687.tif 000080
2004536687.tif 000081
2004536687.tif 000082
2004536687.tif 000083
2004536687.tif 000084
2004536687.tif 000085
2004536687.tif 000086
2004536687.tif 000087
2004536687.tif 000088
2004536687.tif 000089
2004536687.tif 000090
2004536687.tif 000091
2004536687.tif 000092
2004536687.tif 000093
2004536687.tif 000094
2004536687.tif 000095
2004536687.tif 000096
2004536687.tif 000097
2004536687.tif 000098
2004536687.tif 000099
2004536687.tif 000100
2004536687.tif 000101
2004536687.tif 000102
2004536687.tif 000103
2004536687.tif 000104
2004536687.tif 000105
【国際公開パンフレット（コレクトバージョン）】
2004536687.tif 000106
2004536687.tif 000107
【国際調査報告】
2004536687.tif 000108
2004536687.tif 000109